(57)【要約】【課題】情報処理装置からの発熱を効率的に冷却できるサーバールームを簡易的に構築し、設備費の増大を抑える。【解決手段】  情報処理機器５０を収容する収容ラック１００が複数配置されたサーバールームの空調システム１０であって、少なくとも１つの収容ラック１００、又はその他の壁面によって画成される通気空間４３と、前記サーバールーム１の床面に形成され、前記通気空間４３に連通し、冷気が供給される冷気供給部と、通気空間の上部開口を覆う天面部材２００とを備え、天面部材２００が可撓性のシート部材により形成されている【選択図】  図１
2010107188.tif 000002
【特許請求の範囲】
【請求項１】
情報処理機器を収容する収容ラックが複数配置されたサーバールームの空調システムであって、
少なくとも１つの前記収容ラック、又はその他の壁面によって画成される通気空間と、
前記サーバールームの床面に形成され、前記通気空間に連通し、冷気が供給される冷気供給部と、
前記通気空間の上部開口を覆う天面部材とを備え、
前記天面部材が可撓性のシート部材により形成されていることを特徴とする空調システム。
【請求項２】
前記通気空間のうちの外方に通じる開口部を覆うように可撓性のシート部材を垂下させて該通気空間を画成させ、
前記可撓性のシート部材は、前記通気空間内外の気圧差により前記開口部を開放される
ことを特徴とする請求項１に記載の空調システム。
【請求項３】
前記可撓性のシート部材は、複数の板状の単位シートを密接させるように配設して形成されていることを特徴とする請求項２に記載の空調システム。
【請求項４】
前記天面部材は、前記収容ラック又は前記壁面の上部に係合されて張設され、
前記天面部材は、前記係合された係合部において前記通気空間内外の気圧差内により外方へ開放される排気部を有し、
前記排気部は、前記係合部を覆うように設けられた可撓性のシート部材からなるフラップ部を有する
ことを特徴とする請求項１乃至３のいずれかに記載の空調システム。
【請求項５】
前記係合部は、
前記収容ラックの上面外縁に沿って複数突設された柱状のボルト部と、
前記ボルト部間に掛け渡された係止部と、
前記天面部材と前記係止部とを緊結する緊結部とからなり、
前記フラップ部は、前記緊結部側から前記係止部を覆い、該係止部から垂下されることを特徴とする請求項４に記載の空調システム。
【請求項６】
前記サーバールームでは、前記収容ラックの上面近傍に、該サーバールームの天井面が配置され、
前記通気空間には、前記天井面と前記収容ラックの上面外縁との間において、該通気空間内外の気圧差により外方へ開放される前記排気部がさらに備えられ、
前記排気部は、前記天井面と前記収容ラックの上面外縁との間に形成された開口部を覆うように、該天井面から垂下される可撓性のシート部材からなるフラップ部を有することを特徴とする請求項４乃至５のいずれかに記載の空調システム。
【請求項７】
前記通気空間の側面には、開閉可能に設けられた開閉部がさらに備えられ、
該開閉部が可撓性のシート部材により形成されていることを特徴とする請求項１乃至６のいずれかに記載の空調システム。
【請求項８】
前記情報処理機器が収容されていない前記収容ラックの開口部を覆うように前記可撓性のシート部材を垂下させて配設させることを特徴とする請求項１乃至７のいずれかに記載の空調システム。
【請求項９】
複数の前記収容ラックが配列されて前記通気空間が画成され、
前記収容ラックの間の開口部を覆うように前記可撓性のシート部材を垂下させて配設させることを特徴とする請求項１乃至８のいずれかに記載の空調システム。
【発明の詳細な説明】
【技術分野】
【０００１】
本発明は、サーバー装置又は通信機器等の情報処理機器を収容する収容ラックが複数配置されたサーバールームの空調システムに関する。
【背景技術】
【０００２】
データセンター等において、サーバーコンピュータ又は通信機器等の情報処理機器等を収納するサーバールームについては、サーバーコンピュータからの発熱対策が重要であり、その冷却のために専用の空調システムが設けられている。
【０００３】
ところで、従来の空調システムにおいて、空調機からの冷気の供給能力は、ラック又は情報処理機器に取り付けられたファンによる排気能力よりも大きく設定されている。これは、外気温の変化および情報処理機器の発熱量などの様々な条件の変化に対して、情報処理機器の冷却能力が不足することがないように冷気の供給能力が設定されているためである。したがって、上記のように、ラック、遮蔽板および壁体で囲まれる空間が外部と遮断された空調システムでは、すなわち上記ファンに対して排気能力を上回る過大な負荷がかかり、当該ファンの故障などの原因になる可能性がある。
【０００４】
このため、従来より、例えば特許文献１に開示されているような技術が提案されている。この特許文献１に開示された技術では、冷気をラック本体に導入し、導入された冷気の風圧を排気側に開放する風圧調整部とを備える機器収容ラックが開示されている。また、この特許文献１に開示された技術によれば、ラック本体における冷気が導入される側と情報処理機器を冷却した空気が排気される排気側とを遮断する冷気導入部を設けた場合でも、ラック本体又は情報処理機器に取り付けられたファンに対して排気能力を上回る過大な負荷がかかることがなく、当該ファンの故障を防ぐことができる。
【先行技術文献】
【特許文献】
【０００５】
【特許文献１】特開２００７−３１６９８９号公報
【発明の概要】
【発明が解決しようとする課題】
【０００６】
しかしながら、上述した特許文献１に開示された技術では、ラック周辺の機密性を確保するために、重厚な密閉空間を構築するものであったことから、設備費が増大するという問題があった。
【０００７】
そこで、本発明は以上の点に鑑みてなされたもので、情報処理装置からの発熱を効率的に冷却できるサーバールームを、簡易的に構築し、設備費の増大を抑えることのできる空調システムを提供することをその課題とする。
【課題を解決するための手段】
【０００８】
上記課題を解決するために、本発明は、情報処理機器を収容する収容ラックが複数配置されたサーバールームの空調システムであって、少なくとも１つの収容ラック、又はその他の壁面によって画成される通気空間と、サーバールームの床面に形成され、通気空間に連通し、冷気が供給される冷気供給部と、通気空間の上部開口を覆う天面部材とを備え、天面部材が可撓性のシート部材により形成されている。
【０００９】
このような本発明によれば、収容ラックやサーバールームの壁面などで通気空間を画成し、この通気空間内に冷気供給部を通じて冷気を供給することによって、収容ラック内の情報処理機器を冷却することができる。この通気空間の上部開口は、天面部材で覆われているので気密性が保持されるとともに、この天面部材は、可撓性を有するシート部材で形成するため、設備の軽量化を図ることができる。
【００１０】
上記発明において、通気空間のうちの外方に通じる開口部を覆うように可撓性のシート部材を垂下させて通気空間を画成させ、可撓性のシート部材は、通気空間内外の気圧差により開口部を開放されることが好ましい。この場合には、通気空間の外方に通じる部分を可撓性のシート部材にて覆うので、画成された通気空間の気密性がより保持されるとともに、簡単な構成であるため、設備の複雑化を回避して設備の軽量化を図ることができる。また、シート部材を垂下させる構成とするので、通気空間の気圧が高くなりすぎた場合に、シート部材を風圧によって外側に撓ませることができ、通気空間内の空気を外部に排気させ、通気空間の気圧を一定に保つことができる。
【００１１】
上記発明において、可撓性のシート部材は、複数の板状の単位シートを密接させるように配設して形成されていることが好ましい。この場合には、可撓性のシート部材は、複数の板状の単位シートにより構成されているので、空気の排気する箇所が増え、効率よく通気空間内の空気を外部に排気させることができ、より適切に通気空間の風圧を一定に保つことができる。さらに、シート部材は複数の板状の単位シートが密接するように構成されているので、気圧の変化がない場合には、冷気を漏出させることなく通気空間の気密性を保つことができる。
【００１２】
上記発明において、天面部材は、収容ラック又は壁面の上部に係合されて張設され、天面部材は、係合された係合部において通気空間内外の気圧差により外方へ開放される排気部を有し、排気部は、係合部を覆うように設けられた可撓性のシート部材からなるフラップ部を有することが好ましい。この場合には、通気空間の気圧が高くなりすぎた場合に、排気部を通じて通気空間内の空気を風圧によって外部に排気することができ、通気空間の気圧を一定に保つことができる。この排気部のフラップは、可撓性のシート部材により形成することができ、また天面部材を張設するための係合部を覆うという簡単な構成であるため、設備の複雑化を回避して設備の軽量化を図ることができる。
【００１３】
上記発明において、係合部は、収容ラックの上面外縁に沿って複数突設された柱状のボルト部と、ボルト部間に掛け渡された係止部と、天面部材と係止部とを緊結する緊結部とからなり、フラップ部は、緊結部側から係止部を覆い、係止部から垂下されることが好ましい。この場合には、天面部材を係合する手段と、排気部を構成する手段とを併合して簡易的に構築することができるため、設備の簡素化、軽量化をより促進することができる。
【００１４】
上記発明において、サーバールームでは、収容ラックの上面近傍に、サーバールームの天井面が配置され、通気空間には、天井面と収容ラックの上面外縁との間において、通気空間内外の気圧差により外方へ開放される排気部がさらに備えられ、排気部は、天井面と収容ラックの上面外縁との間に形成された開口部を覆うように、天井面から垂下される可撓性のシート部材からなるフラップ部を有する。
【００１５】
この場合には、収容ラックやサーバールームの壁面などで通気空間を画成し、この通気空間内に冷気供給部を通じて冷気を供給することによって、収容ラック内の情報処理機器を冷却することができる。この通気空間の上部は、サーバールームの天井で覆われるとともに、天井面と収容ラックの上面外縁との間に形成された開口部は、可撓性のシート部材からなるフラップ部で覆われているため、気密性を確保することができる。また、フラップ部を設けることにより、通気空間の気圧が高くなりすぎた場合に、排気部を通じて通気空間内の空気を外部に排気することができ、通気空間の気圧を一定に保つことができる。この排気部のフラップは、可撓性のシート部材により形成することができ、また天井面から垂下するという簡単な構成であるため、設備の複雑化を回避して設備の軽量化を図ることができる。
【００１６】
上記発明において、通気空間の側面には、開閉可能に設けられた開閉部がさらに備えられ、開閉部が可撓性のシート部材により形成されていることが好ましい。この場合には、開閉部により通気空間内の気圧を保持しつつ、通気空間への出入りを可能にするとともに、この開閉部は、可撓性を有するシート部材で形成するため、設備の軽量化を図ることができる。
【００１７】
上記発明において、情報処理機器が収容されていない収容ラックの開口部を覆うように可撓性のシート部材を垂下させて配設させることが好ましい。この場合には、情報処理機器が載置されない棚を通じて冷気が外部へ漏れるのを防止することができる。
【００１８】
上記発明において、複数の収容ラックが配列されて通気空間が画成され、収容ラックの間の開口部を覆うように可撓性のシート部材を垂下させて配設させることが好ましい。この場合には、並んで配置された収容ラックと収容ラック隙間から冷気が外部へ漏れるのを防止することができる。
【発明の効果】
【００１９】
このような本発明によれば、冷気が供給される通気空間の天面部材が、可撓性を有する軽量なシート部材で形成されているため、情報処理装置からの発熱を効率的に冷却できるサーバールームを簡易的に構築して、設備費の増大を抑えることができる。
【図面の簡単な説明】
【００２０】
【図１】第１実施形態に係る空調システム１０の一部を透視した斜視図である。
【図２】第１実施形態に係る天面部材の斜視図である。
【図３】第１実施形態に係るサーバールームの側面図である。
【図４】第１実施形態に係るサーバールームの上面図である。
【図５】第１実施形態に係るサーバールームの正面図である。
【図６】第１実施形態に係る空調システムの動作を示す説明図である。
【図７】第１実施形態に係る排気部の構成を模式的に示す説明図である。
【図８】第１実施形態に係る天面部材の構成を模式的に示す説明図である。
【図９】第１実施形態の変更例に係るサーバールームの正面図である。
【図１０】第２実施形態に係る空調システム１０の一部を透視した斜視図である。
【図１１】変更例に係るサーバールームの正面図である。
【図１２】変更例に係る収容ラックの正面図である。
【図１３】変更例に係る空調システムの一部を示す説明図である。
【図１４】変更例に係る排気部の構成を模式的に示す説明図である。
【図１５】（ａ）は、変更例に係る排気部の一部を透視した斜視図であり、（ｂ）は、変更例に係るサーバールームの斜視図である。
【図１６】変更例に係る空調システムの一部を示す説明図である。
【図１７】変更例に係る収納ラックの正面図である。
【発明を実施するための形態】
【００２１】
［第１実施形態］
（サーバールームの空調システムの構成）
本発明の実施形態について、図面を参照しつつ説明する。図１は、実施形態に係る空調システム１０の外観を示す斜視図である。また、図３〜図５は、サーバールームの側面図、上面図及び正面図である。
【００２２】
空調システム１０は、データセンター等のサーバールーム１内に構築され、このサーバールーム１は、壁、天井及び床によって６面を囲まれている。空調システム１０は、図１に示すように、主として、収容ラック１００と、天面部材２００と、開閉部２３０とを有し、これらによって密閉された通気空間４３が形成されている。通気空間４３は、情報処理機器の管理担当者等の利用者の通路となり、利用者が通行又は収容ラック１００の前で作業するのに十分な広さを有する。
【００２３】
図６に示すように、このサーバールーム１において、収容ラック１００が設置されている床は二重床４０となっており、この二重床４０の間には通気経路４１が形成され、床面に開口された冷気供給口４２により通気経路４１と通気空間４３とが連通している。この冷気供給部４２は、例えば格子状のステンレス板等が用いられるが、通気孔があり利用者の往来にも耐えうる強度があればこれに限定されない。
【００２４】
なお、二重床４０の間の内部空間４１には電気配線等が収容されることが多い。このような電気配線等から出火した場合に、その煙は冷気供給部４２から排気部４００内に流れ込む。このとき、煙はフラップ部４０２から排気されるので、排気部４００がフラップ部４０２等の風圧調整部を備えていない場合と比べて、天井の煙感知器等により煙が感知されるまでの時間が短くなり、床下の火災をより早期に発見することができる。
【００２５】
収容ラック１００は、床面に対して鉛直な一面に冷気導入口１０１を有し、本実施形態では、一対の収容ラック１００，１００が、この冷気導入口１０１を有する面が相互に対向するように２列に並んで配置されている。また、これら複数の収容ラック１００，１００は、冷気導入口１０１を有する側面の裏側に位置する側面に熱気排出口１０３を有する。すなわち、冷気導入口１０１と、熱気排出口１０３は、収容ラック１００の表裏を通じて、その内部で連通しており、この連通した空間内に情報処理機器５０が設置されるようになっている。そして、図６に示すように、収容ラック１００には、それぞれ情報処理機器５０が収容され、上記冷気導入口１０１を有する面が通気空間４３に臨むようになっている。
【００２６】
複数の収容ラック１００は、それぞれ内部で複数の段（本実施形態では５段）に分割されており、各段は、それぞれ通気空間４３側に冷気導入口１０１を有し、冷気導入口１０１を有する側と情報処理機器５０を挟んで反対側に熱気排出口１０３を有する。そして、収容ラック１００の各段には、空冷ファン５１を備えた情報処理機器５０が収容されており、情報処理機器５０は、各段の底板に固定されて支持される。ここで、空調システム１０の運転時において、各段の情報処理機器５０の空冷ファン５１は、冷気導入口１０１の側から熱気排出口１０３の側に空気の流れを形成するように駆動される。
【００２７】
また、サーバールーム１内には、室内の空気を冷却し循環させる空調装置３０が設置されている。この空調装置３０は、上部に吸気口３１を有し、下部が通気経路４１に連通されている。そして、空調装置３０は、吸気口３１から吸引した空気を冷却する冷却手段を、その内部に備えており、冷却した空気を下部の吹出口３２から通気経路４１に送出する。送出された冷気６０は、冷気供給口４２を通じて通気空間４３内に供給される。詳述すると、室内の暖気を吸気口３１より吸引し、吸引した暖気を内部で冷却し、二重床４０の間の内部空間４１に冷気６０を吹き出す。この吹き出した冷気６０は、二重床４０の間の内部空間４１を通って通気空間４３の床面に配された冷気供給部４２の直下に達し、冷気供給部４２を通って通気空間４３の側に流れ込む。
【００２８】
通気空間４３に流れ込んだ冷気６０は、その流入圧および空冷ファン５１の送風圧によって、収容ラック１００の各段の冷気導入口１０１から収容ラック１００の内部に導入される。このとき、通気空間４３の上部および両端が天面部材２００および開閉部２３０で覆われているので、収容ラック１００の各段の冷気導入口１０１は、機器収容ラック２０の外側（以下において「排気側」と称する）と隔てられる。したがって、通気空間４３に流れ込む冷気６０は、排気側に流出することなくその風圧を保ったまま収容ラック１００の内部に導入される。
【００２９】
収容ラック１００の各段の内部に導入された冷気６０は、情報処理機器５０を冷却して熱気７０となり、空冷ファン５１の送風圧によって熱気排出口１０３より排気側に排気される。排気側に排気された熱気７０は、空調装置３０の吸気口３１より回収されて、空調装置３０により冷却されて冷気６０となって、吹出口３２から二重床４０の間の内部空間４１に吹き出す。
【００３０】
なお、本実施形態において、収容ラック１００の両側側面の上部には、図１に示すように、Ｌアングル１５０が設けられている。このＬアングル１５０は、収容ラック１００上面に支持された断面Ｌ字形の枠構成部材であり、収容ラック１００同士を連結することで、収容ラック１００を固定させる。さらに、Ｌアングル１５０には、収容ラック１００から排出された熱気７０を空調装置３０方向へ通過させるパンチング穴１５０ａを多数有している。このパンチング穴１５０ａにより、図１３に示すように、収容ラック１００の背面から排出され、天井面へと上昇した熱気を、空調装置３０側へ排出できるため、収容ラック１００の上部で停滞するのを防止し、空調装置３０による空気の循環をより円滑なものとし、空調効率を向上させることができる。
【００３１】
天面部材２００は、通気空間４３の上部開口４３ａを覆う部材であり、可撓性のシート部材により形成されている。この天面部材２００は、通気空間４３の上方に配されて上記複数の収容ラック１００上面における外縁に係合部３００によって固定される。
【００３２】
なお、この天面部材２００としては、グラスファイバー等の補強材を混合した補強部２１０を備える構成としてもよい。例えば、図４に示すように、天面部材２００のシート部材の両端に補強部２１０を設け、この補強部２１０に緊結部３０２と緊結するための緊結孔２００ａを設けることができる。この場合、補強部２１０は、一定の強度を有するので、シート部材を締め上げる緊結部３０２からの張りによって生じるシートの局所的な伸縮を防止し、シート部材の歪みを軽減させることができる。
【００３３】
また、この天面部材２００の両側端部には、排気部４００が形成され、この排気部４００には、係合部３００を覆うように設けられた可撓性のフラップ部４０２が設けられている。具体的に、このフラップ部４０２は、例えば樹脂又はゴム等で形成されたシート状の部材であり、係合部３００で固定されている。
【００３４】
具体的に、この係合部３００は、図２及び図７に示すように、収容ラック１００の上面外縁１００ａに沿って複数突設された柱状のボルト部３０３と、ボルト部３０３間に掛け渡されたロッド状の係止部３０１と、天面部材２００と係止部３０１とを緊結する緊結部３０２とからなり、フラップ部４０２は、緊結部３０２側から係止部３０１を覆い、係止部３０１から垂下されている。
【００３５】
上記フラップ部４０２は、通気空間４３内に流れ込む冷気６０の風圧が機器収容ラック２０の排気側の気圧よりも所定値以上高い場合に開いて、通気空間４３内の冷気６０の一部を排気側に開放する。上記所定値は、通気空間４３に流れ込む冷気６０の流入圧および情報処理機器５０に取り付けられた空冷ファン５１の排気能力等を考慮し，フラップ部４０２の厚さおよび材質等を選択することで所望に設定することができる。これにより、空調システム１０の機器収容ラック２０は、排気部４００内の冷気６０による気圧の上昇を抑えて一定に保つことができるので、情報処理機器５０に取り付けられた空冷ファン５１に対して排気能力を上回る過大な負荷がかかることがなく、空冷ファン５１の故障を防ぐことができる。
【００３６】
また、上記フラップ部４０２の開閉部３３０が風圧で撓まない程度の剛性を有する板状の部材であれば、排気部４００内からの気圧又は風圧よりも排気側（排気部４００の外側）の気圧又は風圧が高い場合にもフラップ部４０２は開かない。したがって、排気側からの熱気７０がフラップ部４０２から排気部４００内に流れ込むことがない。
【００３７】
また、図１から図３に示すように、フラップ部４０２は、収容ラック１００の冷気導入口１０１よりも上側に設けられている。仮にフラップ部４０２が収容ラック１００の冷気導入口１０１よりも下側に設けられた場合、通気空間４３の床面に配された冷気供給部４２から導入される冷気６０が収容ラック１００の冷気導入口１０１に達する前にフラップ部４０２から排気される可能性がある。これに対し、本実施形態では、通気空間４３の床面に配された冷気供給部４２から導入される冷気６０が冷気導入口１０１から収容ラック１００に導入されるのを妨げることがない。
【００３８】
さらに、天面部材２００には、ファスナー２２０が設けられ、天井に配設された照明器具や空調器具のメンテナンスなどのために、開閉が可能となっている。このファスナー２２０は、図８に示すように、ファスナーの始端と終端（矢印で図示）とで天面部材２００のつなぎ目が重なり合うように形成されている。なお、ファスナー２２０の開閉は、通気空間４３の延設方向へ縦断する方向の他、延設方向に垂直な方向に設け、天面部材２００を複数に分割するようにしてもよい。
【００３９】
また、本実施形態では、通気空間４３の側面に開閉可能に設けられた開閉部２３０を有しており、この開閉部２３０が可撓性のシート部材により形成されている。具体的に、開閉部２３０は、通気空間４３の両端に配されて、上記複数の収容ラック１００の各列における両端に位置する収容ラック１００の側面に固定される。上記利用者は、通気空間４３に入るとき、又は通気空間４３から出るときに、この開閉部２３０を開閉して出入りする。なお、開閉部２３０の開閉は、本実施形態では、アコーディオンカーテン形式とて手動としたが、開閉駆動手段を設けて自動としてもよく、また、開閉の形態もスライド式および回動式等いずれの形態でもよい。
【００４０】
（変更例）
なお、本実施形態では、対向配置された一対の収容ラック１００，１００の間に通気空間４３を形成したが、本発明はこれに限定されるものではなく、例えば、図９に示すように、サーバールーム１の一壁面１ａを利用して、この壁面１ａと収容ラック１００とにより通気空間４３を形成するようにしてもよい。この場合には、排気部４００は、収容ラック１００側の片方のみ配設する。
【００４１】
また、本実施形態における通気空間４３の排気部４００は、さらに以下のような構成としてもよい。図１４は、本変更例に係る排気部４００の構成を模式的に示す説明図である。
【００４２】
排気部４００は、図１４に示すように、天面部材２００と係合部３００とが緊結され、その上部より天面部材２００に固定されたフラップ部４０２が覆うことで構成されている。ここで、係合部３００は、ボルト部３０３と、係止部３０１と、緊結部３０２とから構成されている。
【００４３】
ボルト部３０３は、収容ラック１００の上面外縁１００ａに沿って複数突設された柱状のボルト部材である。また、係止部３０１は、ボルト部３０３間に掛け渡され、緊結部３０２を介して天面部材２００を係止するロッド状の部材である。緊結部３０２は、天面部材２００と係止部３０１とを緊結する紐状の部材である。
【００４４】
天面部材２００は、通気空間４３の上部開口４３ａを覆う部材であり、この天面部材２００の両側端部には、天面部材２００の厚み方向に天面部材２００を貫通する緊結孔２００ａを多数有している。
【００４５】
そして、本変更例においては、図１４に示すように、紐状の緊結部３０２を緊結孔２００ａと係止部３０１のリングとに対して、交互に挿通させ、一定の強度で縛りあげることで、天面部材２００に張りを有するように緊結させている。なお、緊結部３０２の部材は、ゴム等の弾性を有する弾性部材を選択してもよい。
【００４６】
また、天面部材２００の上面には、フラップ部４０２と接着し、フラップ部４０２を固定する接着部２０１を備えている。そして、本変更例において、接着部２０１は、天面部材２００の両側端部に備えられた緊結孔２００ａより中心部に配置されている。
【００４７】
そして、フラップ部４０２は、接着部２０１に固定され、緊結孔２００ａを含めて排気部４００を覆うように緊結部３０２側から係合部３００を覆い、通気空間４３内外の気圧差により排気部４００が開放されるように係止部３０１から垂下されている。
【００４８】
（作用・効果）
このような本実施形態によれば、収容ラック１００やサーバールーム１の壁面１ａなどで通気空間４３を画成し、この通気空間４３内に冷気供給部４２を通じて冷気を供給することによって、収容ラック１００内の情報処理機器を冷却することができる。この通気空間４３の上部開口は、天面部材で覆われているので気密性が保持されるとともに、この天面部材２００は、可撓性を有するシート部材で形成するため、設備の軽量化を図ることができる。
【００４９】
また、本実施形態では、通気空間４３の気圧が高くなりすぎた場合に、排気部４００を通じて通気空間４３内の空気を外部に排気することができ、通気空間４３の気圧を一定に保つことができる。この排気部４００のフラップ部５０３は、可撓性のシート部材により形成することができ、また天面部材を張設するための係合部３００を覆うという簡単な構成であるため、設備の複雑化を回避して設備の軽量化を図ることができる。
【００５０】
さらに、本実施形態では、天面部材２００を係合する手段と、排気部４００を構成する手段とを併合して簡易的に構築することができるため、設備の簡素化、軽量化をより促進することができる。また、開閉部２３０により通気空間４３内の気圧を保持しつつ、通気空間４３への出入りを可能にするとともに、この開閉部２３０は、可撓性を有するシート部材で形成するため、設備の軽量化を図ることができる。
【００５１】
また、本実施形態では、可撓性のシート部材を垂下させて、排気部４００及び開閉部２３０を覆っているので、通気空間４３内の気圧が高くなりすぎた場合に、通気空間４３内部からの風圧が発生し、この風圧によってシート部材が外側に撓み、外部へ冷気を排出しやすくなる。この結果、通気空間４３内の気圧を一定に保つことができるとともに、通気空間４３内に熱が籠もるのを低減することができる。
【００５２】
さらに、本実施形態において、フラップ部４０２を固定する接着部２０１は、図１４に示すように、緊結孔２００ａよりも天面部材２００の中心側に配置され、フラップ部４０２は、緊結孔２００ａを含めて排気部４００を覆っているので、緊結孔２００ａから排出され余分な冷気が外部に漏れることを防止でき、通気空間４３の気密性を保つことができる。
【００５３】
また、本実施形態において、緊結部３０２は、天面部材２００と係合部３００を緊結するので、天面部材２００の弛みを防止することができる。特に、緊結部３０２の部材を弾性を有する弾性部材とした場合には、長期間使用され、可撓性のシート部材の劣化によって天面部材２００に弛みが生じたとしても、弾性部材の収縮力によって天面部材２００のシート部材の張りの低下を防止することができる。
【００５４】
なお、天面部材２００にファスナー２２０を、通気空間４３の延設方向へ縦断する方向に設けた場合には、緊結部３０２の収縮力により天面部材２００が係止部３０１側に引き寄せられているので、ファスナーを開放することで天面部材２００がより開放され、作業空間を容易に確保することができる。
【００５５】
また、本実施形態において、収容ラック１００の両側側面の上部に、Ｌアングル１５０を設け、さらに、Ｌアングル１５０には、収容ラック１００から排出された熱気７０を空調装置３０方向へ通過させるパンチング穴１５０ａを多数有するように構成したため、図１３に示すように、このパンチング穴１５０ａにより、図１３に示すように、収容ラック１００の背面から排出され、天井面へと上昇した熱気を、空調装置３０側へ排出できるため、収容ラック１００の上部で停滞するのを防止し、空調装置３０による空気の循環をより円滑なものとし、空調効率を向上させることができる。
【００５６】
［第２実施形態］
次いで、本発明の第２実施形態について説明する。本実施形態では、サーバールーム１の天井面５００が低く、若しくは収容ラック１００が高く、収容ラック１００の上面近傍に、サーバールームの天井面５００が配置され、収容ラック１００の上面外縁１００ａから天井面５００までの距離が短い場合を例に説明する。図１０は、第２実施形態に係る空調システム１０の外観を一部透視して示す斜視図であり、図１１は、その正面図である。なお、本実施形態において、上述した第１実施形態と同一の構成要素には同一の符号を付し、その機能等は特に言及しない限り同一であり、その説明は省略する。
【００５７】
本実施形態では、天井面５００と収容ラック１００の上面外縁１００ａとの間において、通気空間内の気圧により外方へ開放される排気部４００が備えられ、この排気部４００は、天井面５００と収容ラック１００の上面外縁１００ａとの間に形成された開口部５０２を覆うように、天井面から垂下される可撓性のシート部材からなるフラップ部５０３を有することを特徴とする。
【００５８】
このフラップ部５０３を天井面５００から固定する際、天井面５００にクリップ等の挟持部材を設け、この挟持部材によりフラップ部５０３の上部を挟持して、垂下させるようにしてもよい。なお、このフラップ部５０３の固定手段としては、この挟持部材に限定されるものではなく、可撓性のシート部材を固定し、垂下させる手段であればよい。
【００５９】
なお、このフラップ部５０３は、グラスファイバー等の補強材を混合した補強部を備える構成としてもよい。例えば、フラップ部５０３の上端に補強部を設け、この補強部を上記挟持部材により挟持させ、垂下させるようにしてもよい。この場合、補強部は、一定の強度を有するので、挟持され、シート部材の自重によって生じる局所的な伸縮を防止し、シート部材の歪みを軽減させることができる。
【００６０】
（作用・効果）
このような第２実施形態によれば、収容ラック１００やサーバールーム１の壁面１ａなどで通気空間４３を画成し、この通気空間４３内に冷気供給部４２を通じて冷気を供給することによって、収容ラック１００内の情報処理機器を冷却することができる。この通気空間４３の上部は、サーバールーム１の天井面５００で覆われるとともに、天井面５００と収容ラック１００の上面外縁１００ａとの間に形成された開口部５０２は、可撓性のシート部材からなるフラップ部５０３で覆われているため、気密性を確保することができる。
【００６１】
また、本実施形態では、フラップ部５０３を設けることにより、通気空間４３の気圧が高くなりすぎた場合に、排気部４００を通じて通気空間４３内の空気を外部に排気することができ、通気空間４３の気圧を一定に保つことができる。このフラップ部５０３は、可撓性のシート部材により形成することができ、また天井面５００から垂下するという簡単な構成であるため、設備の複雑化を回避して設備の軽量化を図ることができる。
【００６２】
［変更例］
上述した第１実施形態及び第２実施形態においては、以下のような変更を加えることができる。例えば、図１２（ａ）に示すように、収容ラック１００の前面、すなわち冷気導入口１０１が配設された面には、並んで配置された収容ラック１００と１００との間の隙間に遮蔽板１０２を取り付けるようにしてもよい。これにより、冷気が外部へ漏れるのを防止することができる。
【００６３】
また、上記前面において、情報処理機器５０が載置されない棚には、図１２（ｂ）に示すような、ブランクパネル１０１ａを嵌め込むようにしてもよい。このブランクパネル１０１ａは、収容ラック１００の前面両側に配置されたマウントレール１０１ｂ，１０１ｂに固定される板部材である。このマウントレール１０１ｂ，１０１ｂへの固定は、ブランクパネル１０１ａの一端をネジ１０１ｅでブランクパネルの取付孔１０１ｄに固定され、他端は、ブランクパネル１０１ａ側部から側方へ向けて突設された爪部１０１ｃを取付孔１０１ｄに引っ掛けることで簡便に取り外しができるようになっている。このようなブランクパネル１０１ａによれば、情報処理機器５０が載置されない棚を通じて冷気が外部へ漏れるのを防止でき、冷却効率を高めることができる。
【００６４】
また、各実施形態において、フラップ部４０２，５０３や開閉部２３０を形成する可撓性のシート部材を、アコーディオンカーテン形式の一枚布のような構成としたが、本発明はこれに限定されるものではなく、例えば、複数の短冊状の単位シートを配設して形成させるようにしてもよい。
【００６５】
具体的には、フラップ部４０２は、図１５（ａ）に示すように、短冊状をなす板状の単位シート４０２ａを複数配設することで、排気部４００を覆うように形成してもよい。また同様に、開閉部２３０も、図１５（ｂ）に示すように、短冊状をなす板状の単位シート２３０ａを複数配設し、開閉部２３０全体を覆うように形成することができる。
【００６６】
なお、フラップ部４０２，５０３や開閉部２３０を、短冊状をなす単位シートで形成した場合にも、これら可撓性のシート部材には、グラスファイバー等の補強材を混合した補強部を備える構成としてもよい。
【００６７】
さらに、第２実施形態で説明したフラップ部５０３についても、図１６に示すように、短冊状をなす板状の単位シート５０３ａを複数の配設することで、開口部５０２全体を覆うように形成してもよい。なお、この単位シートにより形成されるシート部材は、複数の単位シートを密接させるように配設し、形成させるようにしてもよい。
【００６８】
この単位シート５０３ａの固定についても、上述したように、単位シート５０３ａを天井面５００から固定する固定部５０１を設けることができる。この固定部５０１は、天井面５００に備えつけられたクリップ等の挟持部材とすることができ、可撓性のシート部材の上部を挟持して垂下させる。なお、この挟持部材で挟持されるフラップ部５０３の上部には、グラスファイバー等の補強材を混合した補強部を設けてもよい。
【００６９】
また、通気空間４３において、配列された収容ラック１００と収容ラック１００との間の開口部分を覆う遮蔽板１０２や、収容ラック１００において、情報処理機器５０が収納されていない棚の開口部分に取り付けるブランクパネル１０１ａについても、同様に複数の板状の単位シートによって形成させてもよい。具体的には、図１７に示すように、板状の単位シートである遮蔽板１０２ａを、収容ラック１００と収容ラック１００との隙間に、複数垂下させ、開口部分を覆う。また、複数の板状の単位シートで構成されたブランクパネルを情報処理機器５０が載置されていない棚に複数垂下させ、開口部分を覆う。
【００７０】
この場合には、シート部材が一枚である構成に較べて、空気を排気する箇所が増えるので、効率よく通気空間４３内の空気を外部に排気させ、より適切に通気空間４３の気圧を一定に保つことができる。また、利用者の出入りの際には、開閉部２３０の開放を最小限とすることができるので、利用者の出入りの際に生じる通気空間４３内の気圧の変化を軽減することができる。
【００７１】
さらに、本変更例において、シート部材は、複数の単位シートを密接させるように配設されているので、気圧の変化が無い場合には、冷気を漏出させることなく通気空間４３の気密性を保つことができる。
【符号の説明】
【００７２】
１…サーバールーム
１ａ…壁面
１０…空調システム
２０…機器収容ラック
３０…空調装置
３１…吸気口
３２…吹出口
４０…二重床
４０ａ…床面
４１…内部空間
４２…冷気供給部
４３…通気空間
４３ａ…上部開口
５０…情報処理機器
５１…空冷ファン
６０…冷気
７０…熱気
１００…収容ラック
１００ａ…上面外縁
１０１…冷気導入口
１０１ａ…ブランクパネル
１０２…遮蔽板
１０３…熱気排出口
１０４ａ，１０４ｂ…単位シート
１５０…Ｌアングル
１５０ａ…パンチング穴
２００…天面部材
２００ａ…緊結孔
２０１…接着部
２１０…補強部
２２０…ファスナー
２３０…開閉部
２３０ａ…開閉部の単位シート
３００…係合部
３０１…係止部
３０２…緊結部
３０３…ボルト部
３０３ａ…係止部
３３０…開閉部
４００…排気部
４０２，５０３…フラップ部
４０２ａ…フラップ部の単位シート
５００…天井面
５０１…固定部
５０２…開口部
５０３ａ…フラップ部の単位シート
【図１】
2010107188.tif 000003
【図２】
2010107188.tif 000004
【図３】
2010107188.tif 000005
【図４】
2010107188.tif 000006
【図５】
2010107188.tif 000007
【図６】
2010107188.tif 000008
【図７】
2010107188.tif 000009
【図８】
2010107188.tif 000010
【図９】
2010107188.tif 000011
【図１０】
2010107188.tif 000012
【図１１】
2010107188.tif 000013
【図１２】
2010107188.tif 000014
【図１３】
2010107188.tif 000015
【図１４】
2010107188.tif 000016
【図１５】
2010107188.tif 000017
【図１６】
2010107188.tif 000018
【図１７】
2010107188.tif 000019